(57)【特許請求の範囲】
【請求項１】
第１の実風景画像に基づく第１の特徴情報を用いて基地局装置から情報を受信する情報端末装置であって、
前記第１の特徴情報を送信する送信手段と、
前記第１の特徴情報に関連付けられた広告・宣伝情報を受信する受信手段と、
を具備し、
前記広告・宣伝情報は、前記基地局装置において前記第１の特徴情報と第２の実風景画像に基づく第２の特徴情報との一致度評価を用いて特定されることを特徴とする情報端末装置。
【請求項２】
第１の実風景画像に基づく第１の特徴情報を用いて基地局装置から情報を受信する情報端末装置であって、
前記第１の特徴情報を送信する送信手段と、
前記第１の特徴情報に関連付けられた地域情報及び若しくは広告・宣伝情報を受信する受信手段と、
を具備し、
前記地域情報及び若しくは広告・宣伝情報は、前記基地局装置において前記第１の特徴情報と第２の実風景画像に基づく第２の特徴情報との一致度評価を用いて特定され、
前記一致度評価は、季節情報、天候情報、時間帯情報の少なくとも一つに基づくことを特徴とする情報端末装置。
【請求項３】
請求項１又は請求項２の装置に関し、具備された撮像装置に基づいて得た情報と基地局から取得した情報とを合成して利用者に提示することを特徴とする情報端末装置。
【請求項４】
請求項１又は請求項２の装置に関し、音声による情報の提示を実施することを特徴とする情報端末装置。
【請求項５】
請求項１又は請求項２の装置に関し、他の情報端末装置に対して自己情報端末装置に関する情報の開示許可を指定できることを特徴とする情報端末装置。
【請求項６】
請求項１又は請求項２の装置に関し、他の情報端末装置と自己情報端末装置内の情報が共有できることを特徴とする情報端末装置。
【請求項７】
請求項１又は請求項２の装置に関し、エージェントを用いて基地局から取得した情報を提示することを特徴とする情報端末装置。
【請求項８】
請求項１又は請求項２の装置に関し、所定の位置において自己情報端末装置に関する情報の開示許可を禁止できることを特徴とする情報端末装置。
【請求項９】
請求項１又は請求項２の装置に関し、具備された撮像部から得た情報を用いて基地局の情報を更新できることを特徴とする情報端末装置。
【請求項１０】
第１の実風景画像に基づく第１の特徴情報を用いて情報端末装置に情報を送信する基地局装置であって、
前記第１の特徴情報を受信する受信手段と、
前記第１の特徴情報に関連付けられた広告・宣伝情報を送信する送信手段と、
を具備し、
前記広告・宣伝情報は、前記第１の特徴情報と第２の実風景画像に基づく第２の特徴情報との一致度評価を用いて特定されることを特徴とする基地局装置。
【請求項１１】
第１の実風景画像に基づく第１の特徴情報を用いて情報端末装置に情報を送信する基地局装置であって、
前記第１の特徴情報を受信する受信手段と、
前記第１の特徴情報に関連付けられた地域情報及び若しくは広告・宣伝情報を送信する送信手段と、
を具備し、
前記広告・宣伝情報は、前記第１の特徴情報と第２の実風景画像に基づく第２の特徴情報との一致度評価を用いて特定され、
前記一致度評価は、季節情報、天候情報、時間帯情報の少なくとも一つに基づくことを特徴とする基地局装置。
【請求項１２】
請求項１０又は請求項１１を用いる基地局装置に関し、複数の情報端末装置の利用において各々の情報端末装置との情報を共有することを特徴とする基地局装置。
【請求項１３】
請求項１０又は請求項１１を用いる基地局装置に関し、基地局装置に蓄積された情報を情報端末装置に具備された撮像装置から取得した画像情報と画像情報に基づいた特徴情報を用いて更新することを特徴とする基地局装置。
【請求項１４】
請求項１０又は請求項１１を用いる基地局装置に関し、情報端末装置の撮像部を用いて得た実風景画像による特徴情報を用いた地域特徴情報を更新することを特徴とする基地局装置。
【請求項１５】
請求項１０又は請求項１１を用いる基地局装置に関し、情報端末装置の撮像部を用いて得た実風景画像による特徴情報を用いた地域特徴情報において、位置情報と時間情報と天候情報と季節情報のいずれかの組合せを用いて分類保存された基地局装置の情報を更新することを特徴とする基地局装置。
【請求項１６】
請求項１０又は請求項１１を用いる基地局装置に関し、情報端末装置の有料情報の受信状況を記録し、記録された状況に基づいて課金処理を実施する課金手段を供えることを特徴とする基地局装置。
【請求項１７】
請求項１０又は請求項１１を用いる基地局装置に関し、情報端末装置から取得した情報と基地局装置内で選択された情報とを合成し、情報端末装置に対して配信することを特徴とする基地局装置。
【請求項１８】
請求項１０又は請求項１１を用いる基地局装置に関し、情報端末装置からの情報取得を所定の場所において禁止できることを特徴とする基地局装置。
【請求項１９】
請求項１０又は請求項１１を用いる基地局装置に関し、情報端末装置からの取得できる情報の条件を取得できることを特徴とする基地局装置。
【請求項２０】
請求項１０又は請求項１１を用いる基地局装置に関し、情報端末装置に対してエージェントを用いて情報提供することを特徴とする基地局装置。
【請求項２１】
第１の特徴情報を送信する情報端末装置と、前記第１の情報を受信して広告・宣伝を配信する基地局装置とからなる情報配信システムであって、
前記情報端末装置は、第１の実風景画像に基づいて第１の特徴情報を抽出し、
前記基地局装置は、前記第１の特徴情報に関連付けられた広告・宣伝を特定し、
前記広告・宣伝は、前記基地局装置において前記第１の特徴情報と第２の実風景画像に基づく第２の特徴情報との一致度評価を用いて特定されることを特徴とする情報配信システム。
【請求項２２】
第１の特徴情報を送信する情報端末装置と、前記第１の情報を受信して地域情報及び若しくは広告・宣伝情報を配信する基地局装置とからなる情報配信システムであって、
前記情報端末装置は、第１の実風景画像に基づいて第１の特徴情報を抽出し、
前記基地局装置は、前記第１の特徴情報に関連付けられた地域情報及び若しくは広告・宣伝情報を特定し、
前記地域情報及び若しくは広告・宣伝情報は、前記基地局装置において前記第１の特徴情報と第２の実風景画像に基づく第２の特徴情報との一致度評価により関連付けられ、
前記一致度評価は、季節情報、天候情報、時間帯情報の少なくとも一つに基づくことを特徴とする情報配信システム。
【請求項２３】
第１の特徴情報を送信する情報端末装置と、前記第１の情報を受信して広告・宣伝を配信する基地局装置とを用いる情報配信サービスであって、
前記情報端末装置は、第１の実風景画像に基づいて第１の特徴情報を抽出し、
前記基地局装置は、前記第１の特徴情報に関連付けられた広告・宣伝を特定し、
前記広告・宣伝は、前記基地局装置において前記第１の特徴情報と第２の実風景画像に基づく第２の特徴情報との一致度評価を用いて特定されることを特徴とする情報配信サービス。
【請求項２４】
第１の特徴情報を送信する情報端末装置と、前記第１の情報を受信して地域情報及び若しくは広告・宣伝情報を配信する基地局装置とを用いる情報配信サービスであって、
前記情報端末装置は、第１の実風景画像に基づいて第１の特徴情報を抽出し、
前記基地局装置は、前記第１の特徴情報に関連付けられた地域情報及び若しくは広告・宣伝情報を特定し、
前記地域情報及び若しくは広告・宣伝情報は、前記基地局装置において前記第１の特徴情報と第２の実風景画像に基づく第２の特徴情報との一致度評価により関連付けられ、
前記一致度評価は、季節情報、天候情報、時間帯情報の少なくとも一つに基づくことを特徴とする情報配信サービス。
【請求項２５】
請求項１から請求項２２のいずれかを実施するためのプログラムが記憶された記憶媒体。
【請求項２６】
第１の特徴情報を送信する情報端末装置と、前記第１の情報を受信して広告・宣伝を配信する基地局装置とを用いる情報配信サービスであって、
前記情報端末装置は、第１の実風景画像に基づいて第１の特徴情報を抽出し、
前記基地局装置は、前記第１の特徴情報に関連付けられた広告・宣伝を特定し、
前記広告・宣伝は、前記基地局装置において前記第１の特徴情報と第２の実風景画像に基づく第２の特徴情報との一致度評価を用いて特定されることを特徴とする情報配信サービスを実施するためのプログラムが記憶された記憶媒体。
【請求項２７】
第１の特徴情報を送信する情報端末装置と、前記第１の情報を受信して地域情報及び若しくは広告・宣伝情報を配信する基地局装置とを用いる情報配信サービスであって、
前記情報端末装置は、第１の実風景画像に基づいて第１の特徴情報を抽出し、
前記基地局装置は、前記第１の特徴情報に関連付けられた地域情報及び若しくは広告・宣伝情報を特定し、
前記地域情報及び若しくは広告・宣伝情報は、前記基地局装置において前記第１の特徴情報と第２の実風景画像に基づく第２の特徴情報との一致度評価により関連付けられ、
前記一致度評価は、季節情報、天候情報、時間帯情報の少なくとも一つに基づくことを特徴とする情報配信サービスを実施するためのプログラムが記憶された記憶媒体。
【発明の詳細な説明】
【０００１】
【発明の属する技術分野】
本発明は、地域情報を利便性良く取得できる携帯情報端末装置、基地局装置、情報通信システム及び記録媒体に関する。
【０００２】
【従来の技術】
従来、市街における街頭宣伝は、もっぱら看板、ポスター、大画面ディスプレイを用いて行われている。このような方法により、情報の伝達は、不特定多数の人に対して一方向で単純に行われている。これに対して、これらの情報に基づいて予約や発注、状況確認を行う場合は、直接電話やインターネットなどを含めて店舗に連絡することにより行う。また、市街におけるアンケートなどについては、アンケート用紙を配布して回収することで行ってきた。
【０００３】
【発明が解決しようとする課題】
しかしながら、このように街頭宣伝を見て、具体的に店に予約などを電話やインターネットで行う場合、伝達される情報にしたがって店や連絡先を確認し、電話やパソコンで実際に予約作業を行うために物理的な拘束が多く、迅速にしかも確実にかつ簡単に情報を利用することができない。
【０００４】
本発明はかかる点に鑑みてなされたものであり、街頭表示による宣伝や広告、掲示板などの情報を効率良く、しかも簡単に利用することができる携帯情報端末装置、基地局装置、情報通信システム及び記録媒体を提供することを目的とする。
【０００５】
【課題を解決するための手段】
本発明の情報端末装置は、実風景映像に基づいて得た第１の情報を送信する送信手段と、前記第１の情報に関連付けられた第２の情報を受信する受信手段と、前記第２の情報に含まれる地域情報および／もしくは広告主指定情報に基づいて表示条件を決定する決定手段を具備する。
【０００６】
また、本発明によると、付属する検出装置に基づいて得た情報を通信基地局システムに送信する。また、付属する認識装置に基づいて得た情報を通信基地局システムに送信する。また、付属する撮像手段によって撮像された映像情報と、前記通信手段によって受信された映像情報とを合成する情報合成手段を具備する。また、音声による情報提示を実施する。また、付属する検出手段によって得た情報に応じて通信基地局システムから受信した情報を撮影範囲にあわせて表示手段に表示する。また、前記受信手段が受信した情報を所定期間記憶する記憶手段を備え、前記決定手段は該記憶手段に記憶されている情報を用いて表示条件を決定する。
【０００７】
また、本発明のコンピュータ読み取り可能な記録媒体は、実風景情報に基づいて得た第１の情報を送信する送信機能と、前記第１の情報に関連付けた第２の情報を受信する受信機能と、前記第２の情報に含まれる地域情報および／もしくは広告主指定情報に基づいて表示条件を決定する決定機能を具備するプログラムを記録している。
【０００８】
本発明の通信基地局システムは、広告主指定情報に基づいて地域情報および／または宣伝情報を選択する情報選択手段と、前記情報選択手段により選択した情報を情報端末装置に対し配信する配信手段を具備し、前記広告主指定情報は、撮像装置に基づいて得た第１の情報と、前記第１の情報から得られる位置に関する第２の情報とを関連づけている。
【０００９】
本発明の通信基地局システムによると、広告主指定情報と料金に応じた宣伝を実施する。また、端末装置の指定により抽出する情報を制限できる。また、広告主指定情報の指定する表示条件の端末装置に限定して配信する。また、複数の情報端末装置を備え、第１の情報端末装置の情報が第２の情報端末装置に配信される。前記第２の情報端未装置は、前記第１の情報端末装置によって許可された装置である。また、複数の情報端末装置を備え、第１の情報端末装置に配信された情報を第２の情報端末装置に対しても配信する。また、前記第２の情報端末装置は、前記第１の情報端末装置によって許可された装置である。また、前記情報端末装置が有料情報を受信した状況を記録し、その状況に応じて課金処理する課金手段を備える。また、前記情報端末装置から受信した特徴情報に応じ、通信基地局システムの情報を更新する情報更新手段を備える。また、前記情報端末装置が取得した情報を受信する手段によって得られた情報と前記情報選択手段により選択した情報を合成し、前記情報端末装置に送信する送信手段を具備する。また、前記情報選択手段が情報を選択するために参照する条件に関する情報を抽出する。また、前記情報選択手段において所定の位置情報については情報の抽出を禁止する。また、位置情報と時間軸情報と天候情報のいずれかの組合せに基づいて通信基地局システムの情報を更新する。
【００１０】
本発明のコンピュータ読み取り可能な記録媒体は、実風景映像に基づいて得た情報と広告主指定情報と位置情報とを関連付けて選択する情報選択機能と、前記情報選択機能により選択した情報を配信する配信機能を具備するプログラムを記録している。
【００１１】
本発明の情報サービスは、実風景映像に基づいて得た第１の情報を送信する送信手段と、前記第１の情報に関連付けられた第２の情報を受信する受信手段と、前記第２の情報に含まれる地域情報および／もしくは広告主指定情報に基づいて表示条件を決定する決定手段を具備する情報端末装置を用いると共に、実風景映像に基づいて得た地域特徴情報と、広告主指定情報および位置情報を関連付けて選択する情報選択手段と、前記情報端末装置から受信した情報に基づいて選択した情報を前記情報端末装置に対し配信する配信手段を具備する通信基地局システムを用いる。
【００１２】
本発明の情報サービスによると、前記通信基地局システムの情報を更新する。また、情報端末装置を用いて端末装置から設定された条件に従って情報を端末に配信する。また、情報端末装置を用いて端末装置から設定された条件に従って他の端末との情報を共有するために情報を配信する。また、前記情報端末装置を用いて得た周囲特徴に基づく地域特徴情報において、位置情報と時間軸情報と天候情報のいずれかの組合せに基づいて分類保存し前記通信基地局システムの情報を更新する。
【００１３】
本発明のコンピュータ読み取り可能な記録録媒体は、実風景映像に基づいて得た第１の情報を送信する送信手段と、第１の情報に関連付けられた第２の情報を受信する受信手段と、前記第２の情報に含まれる地域情報および／もしくは広告主指定情報に基づいて表示条件を決定する決定手段を具備する情報端末装置を用いる機能と、実風景映像に基づいて得た地域特徴情報と、広告主指定情報および位置情報を関連付けて選択できる情報選択手投と、前記情報端末装置から受信した情報に基づいて選択した情報を前記情報端末装置に対し配信する配信手段を具備する通信基地局システムを用いる機能を有する、情報サービスのプログラムを記録している。
【００１４】
本発明の記録媒体は、撮像装置により得られた実風景映像情報と位置確認認装置により得られた位置情報からなる情報と広告主指定情報を関連付けて記録している。
【００１５】
本発明の情報処理装置は、撮像装置により得られた実風景映像情報と位置確認装置により得られた位置情報からなる情報と広告主指定情報を関連付けて記録した記録媒体に対し、情報の記録および抽出を実施する。また、位置情報と時間軸情報と天候精報のいずれかの組合せに基づいて前記記録媒体の情報を更新する。
【００１６】
本発明のコンピュータ読み取り可能な記録媒体は、撮像装置により得られた実風景映像情報と位置確認装置により得られた位置情報からなる情報と広告主指定情報を関連付けて記録する機能と、前記記録された情報を読み出す機能を具備したプログラムが記録されている。また、位置情報と時間軸情報と天候情報のいずれかの組合せに基づいて前記記録された情報を更新する機能を具備したプログラムが記録されている。
【００２３】
【発明の実施の形態】
現在、装着型表示装置というものが旅客機などでも利用される今日、このような表示装置と通信装置を用いることで、利用者が情報の入手を行うことは技術的に可能である。また、携帯電話においてもカラー画像の表示が可能となり充分な宣伝能力を有する。そして、カーナビゲーションなどによる移動体上の表示装置の普及が進んでいる。
【００２４】
しかながら、それだけでは地域に密着した情報は得られず従来と変わりない。本発明は、携帯情報端末や車載情報端末ばかりではなく眼鏡やサングラス、オペラグラス、イヤホンのように身体への着装を行うことができる着装可能型情報端末装置を提供して利便性良く宣伝を行う。このために、撮像装置などにより収集した情報と基地局からの宣伝情報とを位置情報に基づいて実風景画像などに合成して仮想広告とすることで、地場密着型の情報伝達を実現することができる。なお、ここでいう携帯情報端末装置は、着装可能型のみでなく、車載用のものであっても良い。
【００２５】
以下、本発明の実施の形態について、添付図面を参照して詳細に説明する。
図１は、本発明の一実施の形態に係る携帯情報端末装置を含むシステムの構成を示すブロック図である。図１においては、携帯情報端末装置である端末装置２００と無線通信を行う基地局Ａ及び基地局Ｂと共に記載している。
【００２６】
基地局Ａ及び基地局Ｂは、それぞれ同じ構成を有しており、アンテナ１０１で受信した受信信号を処理してベースバンド信号を得ると共に、ベースバンド信号を処理してアンテナ１０１を介して端末装置２００に送信する通信制御部１０２と、情報の処理を行う情報処理部１０４及び各種の情報を記憶する記憶部１０５を備えた情報蓄積管理部１０３とを有する。
【００２７】
情報処理部１０４は、端末装置から受信した端末装置周辺の情報からその端末装置周辺の特徴を評価する特徴評価機能と、端末装置に送信する宣伝を選択する宣伝選択機能とを備えている。
記憶部１０５は、端末装置から受信した端末装置周辺の地域情報、端末装置周辺の宣伝情報、端末装置周辺の地域特徴情報、及び宣伝の広告主指定情報などを格納する。
【００２８】
本発明に係る情報管理装置である端末装置２００は、アンテナ２０１で受信した受信信号を処理してベースバンド信号を得ると共に、ベースバンド信号を処理してアンテナ２０１を介して基地局Ａ、基地局Ｂに送信する通信制御部２０２と、撮像を行う撮像部２０３と、端末装置２００の位置確認を行う位置確認部２０４と、端末装置２００の速度を検出する速度検出部２０５と、取得した情報や画像を合成する情報合成部２０６と、種々の情報や画像を表示する表示部２０７と、種々の入力を行う入力部２０８と、取得した情報に基づいて種々の演算処理を行う演算部２０９と、種々の情報、画像、データなどを記憶する記憶部２１０とを備える。また、これらの各処理部２０２〜２１０における処理は、制御部２１１により制御される。
【００２９】
なお、基地局における特徴評価機能は、情報処理研究者の間で一般的に研究された機能を用いる。例えば、物体の形状から抽出された特徴を学習した情報処理装置を用いて撮像装置から得られた特徴を分析し、その情報の一致する箇所に別途登録されている表示内容を合成して表示する。
【００３０】
次に、上記構成を有する端末装置の動作について説明する。なお、ここでいう情報とは、宣伝情報、予約情報、発注情報、アンケート情報、状況確認情報、ドラマ・映画情報などをいうがこれに限定されるものではない。
【００３１】
基地局Ａ、Ｂと端末装置２００との距離が通信手段により異なることが考えられる。例えばＰＨＳなら、半径５００ｍ程度の範囲の宣伝として地域への密着性が実現することが知られている。しかしながら、携帯電話や衛星電話などの場合は地域との密着性が低くなる問題があり、その点を解決する手段として、ジャイロセンサー、ＧＰＳをはじめとする各種サービスもしくはそれらの組み合わせによって位置の確認を実現する。また、その地域の郵便番号や電話番号が分かっていれば、郵便番号や市外局番、電話番号の入力により現在位置を検索して確定しても良い。
【００３２】
端末装置２００の位置確認部２０４において位置を把握する方法として、基地局Ａ、Ｂからの位置情報ばかりではなく、周囲の風景や音声の特徴情報を用いても良い。この場合、撮像部２０３や集音装置による情報に基づき周囲の特徴を抽出し、それらの結果を総合的に判断して宣伝サーバ又は端末装置内に記録される情報により宣伝内容を選択する。
【００３３】
例えば、撮像部２０３を用いるのであれば、撮像部２０３を用いて撮像した周囲の景色に対して建物の形状情報の特徴を端末装置２００内の演算部２０９で抽出し、その情報に併せて、位置確認部２０４で得られた位置情報や、速度検出部２０５で得られた速度情報などを通信制御部２０２を用いて基地局Ａ、Ｂに送信する。
【００３４】
基地局Ａ、Ｂは、その情報を通信制御部１０２により受信した後、記憶部１０５に格納された地域特徴情報と、送信されてきた特徴情報との間で比較を行い、宣伝情報を限定する。限定された宣伝情報は、宣伝先の端末装置２００に通信制御部１０２を経由して送信され、端末装置２００の情報合成部２０６で特徴情報の一致する風景画像の場所に合成される。
【００３５】
この場合、基地局Ａ、Ｂで宣伝と合成した映像を生成し、その映像のみを端末装置２００に送信しても良い。また、端末装置２００の速度検出部２０５により検出される利用者の移動速度に合わせて合成画像における宣伝の合成位置を移動させても良い。
【００３６】
端末装置２００において、位置確認部２０４は、例えば、方位磁針や速度センサを用いたり、画像一致度検出により端末装置の位置を確認する。そして、その出力に基づいて端末装置の利用者が向いている方向を検出する。その結果、検出された方角の視角内にある情報を端末装置内の記憶部２１０に記憶し、又は通信制御部を介して基地局Ａ、Ｂ内の地域情報や宣伝情報を参照して表示部２０７に表示させる。
【００３７】
このように端末装置２００の利用者の視線方向を判別し、視界内にある対象に関する宣伝を表示することにより、端末装置２００がどの方向を向いているか判別をすることができ、効率的な宣伝を行うことができ、宣伝するべき情報を選定することができる。その結果、利用者の利便性が向上する。
【００３８】
また、現在の位置と向きとから目的とする情報の方向を求める。表示部２０７上に矢印などの画像でその方向を表示したり、音声により提示することにより、効率的な情報伝達と利便性の実現を行うことができる。
【００３９】
撮像部２０３としては、端末装置２００の周囲を撮像するカメラなどを用いることができる。利用者は、目的の店などが分かり、他の店舗の情報を必要としない場合、視界をさえぎる他の情報は必要なくなる。この場合、利用者が選択的に宣伝を削除する。この場合、例えば、表示部２０７に特定の宣伝が表示されている場合に、カメラに対して特定のジェスチャや手話とか、音声で「消えろ」というと、その画像や音声が演算部２０９に出力され、動作の認識処理がなされ、その宣伝が表示部２０７から消える。これにより、不必要な情報を簡単に取捨選択することができる。また、利用者が欲する情報を登録したり判別したりする機能を端末装置２００や基地局Ａ、Ｂに実装することにより、自動的に宣伝を選択するようにしても良い。
【００４０】
次に、上記情報伝達を実現する手順について説明する。
図２は、本発明の一実施の形態に係る携帯情報端末装置を用いた宣伝情報の合成方法を示すフローチャートである。
【００４１】
まず、端末装置２００は、上記のように位置と方向を位置確認部２０４により確認する。また、同時に撮像部２０３から得られた情報に基づく特徴を求める。その結果を、通信制御部２０２を経由し最寄の基地局Ａ又はＢに送信する。
【００４２】
そして、基地局は、端末装置の場所や方向に関する情報（周囲特徴、現在位置）を受信する（ステップＳ１１、ステップＳ１２）。次いで、利用状態であるかを判別する（ステップＳ１３）。すなわち、出力停止中であるかどうかを判断する。
【００４３】
次いで、受信した位置と方向の情報に基づいて、現在地を確定し、端末装置の方向を判定する（ステップＳ１４、ステップＳ１６）。そして、現在地が確定されない場合には、現在位置を検索し（ステップＳ１５）、方向が特定されない場合には、方向検索を行う（ステップＳ１７）。
【００４４】
次いで、端末装置から取得した情報を用いて周囲特徴の一致度を評価する（ステップＳ１８）。この場合、記憶部１０５に格納された地域特徴情報から周囲特徴情報を選別し（ステップＳ１９）、情報処理部１０４の特徴評価機能を用いる。
【００４５】
そして、評価した後に、記憶部１０５に格納された適切な宣伝情報を情報処理部１０４の宣伝選択機能を用いて選択する。すなわち、適切な宣伝があるかどうかを判断し（ステップＳ２０）、適切な宣伝情報があればその宣伝情報を選択し（ステップＳ２２）、適切な宣伝情報がなければ公共情報を選択する（ステップＳ２１）。また、広告主によって指定される情報を取得する（ステップＳ２３）。
【００４６】
そして、これら広告主指定情報などの諸々の情報によって、表示条件を指定する（ステップＳ２４）。この表示条件としては例えば、表示対象者、表示地域、表示時間帯、表示時間長、表示サイズ、及び、表示色などが挙げられる。そして、表示期間内であるかどうかを判断し（ステップＳ２５）、表示期間内であれば、表示合成情報を通信制御部１０２を経由して端末装置２００に送信する（ステップＳ２６）。この際、送信される情報は、伝達回数や伝達の継続時間、伝達からの詳細情報の呼出回数や伝達に用いられる色、画質、大きさといった情報量の変化などを含む。また、一般的な空腹時間帯である食事時間帯に料理店の宣伝を大きくして予約の優先度を変えるといった時間帯の制限や、地域の限定、若者向けの商品情報に関する受信者の年齢などの制限を加えたり、管理方法と端末装置の所有登録者の居住地域や連絡先などの各種情報を用いることにより、その宣伝を単純に不特定多数の対象に伝達するよりもより効率的に行うことができる。なお、情報発信者側の情報提供における料金体系における尺度としては、表示の大きさや時間帯、時間長などの違いを用いる。
【００４７】
図３は、本発明の一実施の形態に係る携帯情報端末装置における宣伝表示例を示す図であり、図４は、本発明の一実施の形態に係る携帯情報端末装置における通常風景の表示例を示す図である。
図４に示す通常風景の表示に対して、図３は本発明による宣伝表示の例を示す。例えば、雑誌の販売会社が「１１月号絶賛発売中」と表示したり、料理店が「空席１０  ￥６００〜」と表示したりするものである。
【００４８】
この際、端末装置との通信にかかる時間的誤差をその時点の位置確認部２０４や速度検出部２０５の値により補正しても良い。また、地域情報などを端末装置内に保存し、宣伝状況の設定に関する情報のみを基地局との交信で入手しても良い。
本発明の携帯情報端末装置においては、以下に説明するように種々の使用方法が考えられる。
【００４９】
利用者が自己の情報を限定した対象に公開を許可するように、基地局の情報蓄積管理部１０３に登録する。この際、登録した利用者の情報を宣伝と同じように扱うと共に、位置情報に関しては登録した利用者の端末装置２００の位置確認部２０４の出力に基づいて送信される位置情報により宣伝位置を常時修正する。これにより、例えば、端末装置の所有者同士が駅前で友人との待ち合わせ時に、お互いの場所を宣伝することができ、円滑な待ち合わせを行うことができる。
【００５０】
また、不特定多数に対して端末装置の所有者が宣伝を行うことにより、宣伝料金を徴収して大学のサークル活動などにおけるメンバー募集やメンバーの共有情報を集会場所などに伝達することが可能となり、生活における利便性の向上が見込まれる。
【００５１】
また、簡単な方法としてスイッチにより通信を停止する方法、特定の室内において発信されている情報を受信した場合には端末からの送信を停止する方法などを採用することにより、自動化を実現することができる。そして、これらの情報伝達回数や情報量による客観的な尺度で伝達内容を管理することで、広告主や情報提供者にも明示的な尺度を用いた管理を行うことができ、料金に関する客観性を持たすことが可能である。
【００５２】
また、任意に秘匿することを可能にする状態切り替え手段を設けることにより、プライバシーの保護を実現することができる。
また、基地局Ａ、Ｂにおいて情報の流通を管理し、利用者の希望する情報を基地局の記憶部１０５に登録し、対象となる情報を提供した回数を記録し、その提供回数に応じて課金を行うことにより、使用量料金を徴収することが可能となる。
【００５３】
また、情報提供者が有料指定の情報として登録を希望する場合、端末装置の利用者の購入指示に基づいて課金を行うことにより、料金を利用者から徴収することができる。
【００５４】
また、基地局Ａ、Ｂにおいて情報の流通を管理し、利用者が広告主の提供する情報を閲覧した回数を記録しておき、その回数に基づいて使用量料金の割引や店舗などでの料金割引を適応することにより、利用者の閲覧回数に応じた端末装置利用料を設定することができる。
【００５５】
また、宣伝情報を常時流通させることはエネルギーを浪費する結果となる。携帯情報端末装置おいて、ある情報を受信した場合、その情報がどの程度の期間有効であるか、もしくは価値があるかを示す情報を付属させる、すなわち、一時的に情報を蓄積する記憶領域を設け、一時的に保存されている情報に有効期限の情報を付加し、有効期限期間は特に新しい情報が入ってこない限り情報を保存する。これにより、同じ内容の通信を避ける処理を施すことができ、通信にかかるエネルギーや通信コストを低減させることができる。
【００５６】
また、宣伝ばかりでなく公共情報や地図情報を聴覚障害者に対して映像を用いて文字情報や手話により伝達したり、視覚障害者に対して音声で情報伝達することにより、障害者などに対しても屋外での公平な情報入手機会を与えることができる。また、障害者向けに目の前にいる人の音声を手話翻訳して合成表示したり、手話表現を音声合成したり、認識した文字を音声出力したりすることにより、公共の福祉に貢献するサービスも実現することが可能である。
【００５７】
例えば、端末装置内の演算部２０９を用いてラジオから入力された音声を文字に変換したり、文字放送情報やＶＩＣＳなどの情報を指標に視線方向との一致を調べて状況を表示する。これにより、公共情報や道路状況の伝達を行うことができる。
【００５８】
また、宣伝情報が多少離れた所にある場合、必ずしもまっすぐ行けばたどり着くというものでもないことが多い。このため、目的地への地図経路を示す矢印を道案内情報として表示装置上に提示することにより、利用効率の向上を図ることができる。例えば、基地局の地図情報などを照会し、端末装置の視線方向との一致を調べて目的地への経路を画面上に地図に矢印を合成して提示する。
【００５９】
また、季節や時間帯天候により特徴情報に変化が生じるため、利用者の端末装置において撮像部２０３、位置確認部２０４、速度検出部２０５に基づいて演算部２０９により生成された特徴情報を用いて、その時期や環境の違いを弁別する情報を生成する。そして、この情報を特徴情報に付随して基地局Ａ、Ｂに送り、そこで地域特徴情報に分類蓄積すると共に、基地局の情報処理部１０４に含まれる特徴評価機能により環境ごとの評価を行って、登録されていない環境における特徴情報を追加したり、従来からの情報を更新する。例えば、利用者の端末装置から送信される特徴情報が位置確認部から推定される位置と微妙に異なる場合、天候や時間帯や季節ごとに分類する指標を設けて情報を蓄積して特徴情報を再構成することにより、新しい建造物を含めて地図情報の更新を行う。これにより、環境の変化に対して柔軟な処理を実現することができ、利便性を向上させることができる。
【００６０】
また、これらの情報に基づき構成された地図や周囲の風景を第三者が閲覧することを可能として目的地周辺の様子を事前に確認することを可能とする。この際、提示を望まない地域や建物は、その旨を記憶部の地域情報から入手して非表示する処理を行う。これにより、基地局の地図情報などを照会し、目的地周囲の様子を生成した後に、現在の表示に合成して提示する。また、地図情報に表示禁止の判断情報を付随して端末装置での情報合成時に、表示を禁止したり、異なる情報表示したりする。
【００６１】
なお、これらの手段は、携帯パソコンのような情報処理装置に周辺装置を組み合わせて構築することが可能であり、手段に関する情報を記録した媒体によるソフト配布も可能である。
上記のように実施される装置は、時代の変化に伴って常に新しい情報を提供しなければならない。このため、これらの装置に対してタウン情報誌などに記憶媒体を付属して新しく生成された情報を配布するようにしても良い。
【００６２】
本発明は上記実施の形態に限定されず、種々変更して実施することが可能である。例えば、上記実施の形態では、宣伝情報を管理する場合について説明しているが、本発明においては株式の購入や売買を本端末装置を用いて行うこともできる。この場合、株式会社からの情報を用いて、表示の隅に常時特定の株価を表示し、音声などにより指値を行い売却と購入の指示を行う。これにより、街中を歩きながら株式の購入や売買を実現することができる。
【００６３】
また、歩きながら近隣の不動産情報を照会して実際の物件を現地で外部から見ながら間取りを閲覧し、不動産会社と交渉することもできる。また、食事をしたいときは、近所の店の空き席状況を確認して適当な店を選んだり、歩いている際に近所にある旅行会社で一番安い店を探したりすることができる。さらに、まだ行ったことの無い飲食店を探して街を探索するとかアンケートを実施して特定地域にいる人の嗜好を調査したり、旅行案内を行うなどと色々な使い方が可能である。
【００６４】
さらに、宣伝としても地域の商店街や店舗ごとに独自の映像や音楽、キャラクターを用いた方法も利用者の選択により周囲に迷惑をかけることなく実現できる。そして、名所、旧跡や芸能人の店などにおいては、それらの地域や関係者にまつわるドラマや映画、音楽や紹介情報などを伝達することもできる。これらの各々の情報伝達手段は、適宜選択して使用することが望ましい。
【００６５】
また、この端末装置上には、インターネットにおけるバナー広告のようなものを表示しても良い。また、エージェントと呼ばれるマスコットキャラクターを用いて宣伝や名所旧跡における情報の選択を簡易に行えるようにしたりすることもできる。そして、複数の人が端末装置を持つ場合、同じ情報やマスコットキャラクターなどを共有することにより、マスコットキャラクターで旅行ガイドのように用いることもできる。
【００６６】
また、将来的な実装密度の向上により、基地局の記憶部１０５の内容を端末装置内に持つことも可能であり、位置情報に基づいて提供情報や提供条件を選択するといった方法も考えられる。また、事前に地域の３次元地図などを端末装置や基地局に収録して基準となる情報を数学的に固定することにより、端末装置から送られてくる特徴を評価する指標に用いて位置の確認をより確かなものしても良い。
【００６７】
以上説明した携帯情報端末装置及び基地局装置は、この携帯情報端末装置及び基地局装置を機能させるためのプログラムでも実現される。このプログラムはコンピュータで読み取り可能な記録媒体に格納されている。本発明では、この記録媒体として、ＲＯＭがプログラムメディアであってもよいし、また外部記憶装置としてＣＤ−ＲＯＭドライブ等のプログラム読み取り装置が設けられ、そこに記録媒体を挿入することで読み取り可能なＣＤ−ＲＯＭ等のプログラムメディアであってもよい。いずれの場合においても、格納されているプログラムはＣＰＵがアクセスして実行させる構成であってもよいし、あるいはいずれの場合もプログラムを読み出し、読み出されたプログラムは、図示されていないプログラム記憶エリアにダウンロードされて、そのプログラムが実行される方式であってもよい。このダウンロード用のプログラムは予め本体装置に格納されているものとする。
【００６８】
ここで、上記プログラムメディアは、本体と分離可能に構成される記録媒体であり、磁気テープやカセットテープ等のテープ系、フロッピーディスクやハードディスク等の磁気ディスクやＣＤ−ＲＯＭ／ＭＯ／ＭＤ／ＤＶＤ等の光ディスクのディスク系、ＩＣカード／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【００６９】
さらに、外部の通信ネットワークとの通信接続手段を介して通信ネットワークからプログラムをダウンロードするように、流動的にプログラムを担持する媒体であってもよい。なお、このように通信ネットワークからプログラムをダウンロードする場合には、そのダウンロード用プログラムは予め本体装置に格納しておくか、あるいは別な記録媒体からインストールされるものであってもよい。なお、記録媒体に格納されている内容としてはプログラムに限定されず、データであってもよい。
【００７０】
【発明の効果】
以上説明したように、本発明によれば、地域に密着し且つ利用者の嗜好に合わせた宣伝と、コミュニケーションにおける情報の円滑な伝達手段を構築することが可能となる。さらに、多くの人の生活利便性を向上すると同時に都会の喧騒の低下を図ることができる。
【図面の簡単な説明】
【図１】本発明の一実施の形態に係る携帯情報端末装置を含むシステムの構成を示すブロック図である。
【図２】本発明の一実施の形態に係る携帯情報端末装置を用いた宣伝情報の合成方法を示すフローチャートである。
【図３】本発明の一実施の形態に係る携帯情報端末装置における宣伝表示例を示す図である。
【図４】本発明の一実施の形態に係る携帯情報端末装置を用いる場合を示す図である。
【符号の説明】
１０１，２０１  アンテナ
１０２，２０２  通信制御部
１０３  情報蓄積管理部
１０４  情報処理部
１０５，２１０  記憶部
２００  端末装置
２０３  撮像部
２０４  位置確認部
２０５  速度検出部
２０６  情報合成部
２０７  表示部
２０８  入力部
２０９  演算部
２１１  制御部
【図１】
0003799219.tif 000002
【図２】
0003799219.tif 000003
【図３】
0003799219.tif 000004
【図４】
0003799219.tif 000005